(57)【要約】【課題】公知の形式のアンテナを簡単に、ひいては安価に構成し、さらには取扱いを容易にする。【解決手段】調節機構（２）が旋回軸線（４）を有しており、該旋回軸線（４）が、アンテナロッド（３）またはアンテナマスト（２４）の前記位置を通って延在する平面内に配置されており、旋回軸線（４）が、立てられた位置と倒された位置との間の角度を二等分した値の分だけ、ハウジングフード（１）および／またはアンテナロッド（３）またはアンテナマスト（２４）の長手方向軸線に対して傾いているようにした。【選択図】図３
2006094514.tif 000002
【特許請求の範囲】
【請求項１】
車両のためのアンテナであって、車両に固定可能なハウジングフード（１）と、アンテナロッド（３）またはアンテナマスト（２４）とが設けられており、アンテナロッド（３）またはアンテナマスト（２４）がその都度調節機構（２）の助けを借りて、少なくとも１つの立てられた位置と、１つの、車両に向かって倒された位置とに可動であると共に、これらの位置に固定可能である形式のものにおいて、調節機構（２）が旋回軸線（４）を有しており、該旋回軸線（４）が、アンテナロッド（３）またはアンテナマスト（２４）の前記位置を通って延在する平面内に配置されており、旋回軸線（４）が、立てられた位置と倒された位置との間の角度を二等分した値の分だけ、ハウジングフード（１）および／またはアンテナロッド（３）またはアンテナマスト（２４）の長手方向軸線に対して傾いていることを特徴とする、車両のための、旋回調節機構を備えたルーフアンテナ。
【請求項２】
アンテナロッド（３）がハウジングフード（１）に隣接して拡張部（５）を有しており、該拡張部（５）内に支持部材（６）が配置されており、該支持部材（６）が、旋回軸線（４）内に位置する旋回部材（７）を有しており、該旋回部材（７）が、ハウジングフード（１）内に固定されているガイドブシュ（８）と作用結合している、請求項１記載のアンテナ。
【請求項３】
旋回部材（７）がねじ山付ピンであり、該ねじ山付ピンが、ガイドブシュ（８）に設けられたねじ山付孔内に螺入可能である、請求項１または２記載のアンテナ。
【請求項４】
旋回部材（７）が平滑ピンであり、該平滑ピンが、ガイドブシュ（８）に設けられた、平滑ピンと合致する孔と協働する、請求項１から３までのいずれか１項記載のアンテナ。
【請求項５】
旋回部材（７）が、支持部材（６）または該支持部材（６）の一部の背面に係合するねじであり、該ねじがガイドブシュ（８）のねじ山付孔内に螺入可能である、請求項１から４までのいずれか１項記載のアンテナ。
【請求項６】
ねじのヘッドが、盗難を難しくするために、特別な工具のための特別なプロファイルを有している、請求項５記載のアンテナ。
【請求項７】
ねじのヘッドが、アンテナロッド（３）の拡張部（５）内に配置されており、ねじ頭に対して減じられた横断面積を有する開口を通して接近可能である、請求項５または６記載のアンテナ。
【請求項８】
ハウジングフード（１）とアンテナロッド（３）またはアンテナマスト（２４）との間に、アンテナロッドまたはアンテナマストを少なくとも立てられた位置と倒された位置とに固定するための係止ユニットが設けられている、請求項１から７までのいずれか１項記載のアンテナ。
【請求項９】
係止ユニットが、ガイドブシュ（８）に設けられた凹部（９）と、有利にはばね予圧された係止ディスク（１０）に設けられた相応の凸部（１１）とを有しており、該係止ディスク（１０）が旋回部材（７）および／または支持部材（６）および／または拡張部（５）に相対回動不能に結合されているか、またはその逆の構成も可能である、請求項８記載のアンテナ。
【請求項１０】
係止ユニットが、ガイドブシュ（８）の延長部（１２）に設けられた平坦部（１３）と、該平坦部に適合されたＵ字形のクリップ（１４）とを有しており、該クリップ（１４）が旋回部材（７）および／または支持部材（６）および／または拡張部（５）に相対回動不能に結合されているか、またはその逆の構成も可能である、請求項８記載のアンテナ。
【請求項１１】
係止ユニットが、ばね予圧された凸部、特に球（１５）を有しており、該凸部が、係止ディスク（１０）に設けられた凹部と協働するようになっており、凸部（球１５）がガイドブシュ（８）内に配置されており、係止ディスク（１０）が旋回部材（７）および／または支持部材（６）および／または拡張部（５）に相対回動不能に結合されているか、またはその逆の構成も可能である、請求項８記載のアンテナ。
【請求項１２】
アンテナロッド（３）またはアンテナマスト（２４）とハウジングフード（１）との間に、ロックユニットが盗難防止手段として設けられている、請求項１から１１までのいずれか１項記載のアンテナ。
【請求項１３】
ロックユニットが、ガイドブシュ（８）に結合された円錐体（１９）を有しており、該円錐体（１９）とガイドブシュとの間に外溝（１７）が設けられており、かつロックユニットが、内向フックを有するＵばね（１６）を有しており、該Ｕばね（１６）が旋回部材（７）および／または支持部材（６）および／または拡張部（５）に結合されており、内向フックが外溝（１７）に係入するようになっている、請求項１２記載のアンテナ。
【請求項１４】
ロックユニットが、ガイドブシュ（８）に設けられた開口を有しており、該開口の深部に内溝（１８）が設けられており、かつロックユニットが、少なくとも１つの外向フックを備えたＵばね（１６）を有しており、該Ｕばね（１６）が旋回部材（７）および／または支持部材（６）および／または拡張部（５）に結合されている、請求項１から１３までのいずれか１項記載のアンテナ。
【請求項１５】
ロックユニットと係止ユニットとが１つの構成ユニットに統合されており、円錐体（１９）および／または外溝（１７）または内溝（１８）が平坦部（１３）を有しており、該平坦部（１３）が、フックを備えたＵばね（１６）と作用結合している、請求項１から１４までのいずれか１項記載のアンテナ。
【請求項１６】
拡張部（５）に、少なくとも１つのシール部材、特にシールリップ（２０）が設けられており、該シール部材が、ガイドブシュ（８）に設けられたシール面および／またはガイドブシュ（８）の外側でハウジングフード（１）に設けられたシール面と作用結合している、請求項１から１５までのいずれか１項記載のアンテナ。
【請求項１７】
ハウジングフード（１）とアンテナマスト（２４）との間に、緊締片（２２）が設けられており、該緊締片（２２）が、アンテナマスト（２４）に対して同軸的に、ねじおよび／または係止凹部によりアンテナマスト（２４）に結合可能であり、ガイドブシュ（８）が、半径方向で張り出したリング（２１）を有しており、緊締片（２２）が、張り出したリング（２１）の背面に係合させるためのばねフック（２３）を有しており、該ばねフック（２３）が旋回部材（７）として形成されており、アンテナロッド（３）を締め方向で回すことにより、引張力で予圧されているロッド・円錐ディスク・ガイドブシュのねじ山結合部を介して、緊締片（２２）が固くかつ遊びなしにアンテナロッド（３）とハウジングとの間で緊締され、アンテナロッド（３）を緩め方向で回すことにより、旋回プロセスが負荷および摩耗なしに実施可能であるまで、結合部が緩められる、請求項１から１６までのいずれか１項記載のアンテナ。
【請求項１８】
円錐ディスク（２８）と、ガイドブシュ（８）に設けられた、張り出したリング（２１）との代わりに、円錐体ヘッド（２５）が設けられており、該円錐体ヘッド（２５）がフック留め部材（２６）に形状結合式に結合可能であり、かつアンテナマスト（２４）に設けられたねじと作用結合している、請求項１７記載のアンテナ。
【請求項１９】
円錐体ヘッド（２５）が、アンテナマスト（２４）のねじに面した平坦部を有しており、該平坦部が少なくともアンテナマスト（２４）の終端位置に対応配置されており、かつ係止ユニットとして役立ち、盗難防止の目的で、横方向ピン、または狭窄部を備えた２部分構成のフック留め部材が設けられており、横方向ピンまたはフック留め部材が、ロッドねじ山に設けられた段部に係入するようになっているか、または軸方向の固定が、フック留め部材（２６）をロッドねじ山、特にそのロッドねじ山付設部にかしめることにより実施される、請求項１８記載のアンテナ。
【請求項２０】
ハウジングフード（１）またはガイドブシュ（８）にセグメント（３２）が設けられており、該セグメント（３２）が、ばねフック（２３）または該ばねフック（２３）の一部、または円錐ディスク（２８）および／またはばねフック（２３）に設けられた凸部、および／またはフック留め部材（２６）に設けられた凸部、および／または緊締片（２２）に設けられた対応セグメントと作用結合しており、それにより、セグメント（３２）が係止ユニットとして役立ち、少なくともアンテナマスト（２４）の終端位置を固定する、請求項１７から１９までのいずれか１項記載のアンテナ。
【請求項２１】
ガイドブシュ（８）が、アンテナマスト（２４）の終端位置に対応配置された、少なくとも２つの孔またはねじ山付孔（３１，３１ａ）を有しており、該孔またはねじ山付孔（３１，３１ａ）内に、アンテナマスト（２４）に設けられたねじがねじ込み可能または差し込み可能である、請求項１から２０までのいずれか１項記載のアンテナ。
【請求項２２】
ロックユニットとして、横方向ピン（２７）がフック留め部材（２６）に設けられており、該横方向ピン（２７）がねじの背面に段部で係合するようになっているか、または緊締リング（２９）がねじの端部に設けられているか、または鍔が、２つまたはそれよりも多くの部分から構成されたフック留め部材に設けられているか、または塑性加工／型打加工が実施される、請求項１から２１までのいずれか１項記載のアンテナ。
【請求項２３】
アンテナにおいて、請求項１から２２までのいずれか１項記載の旋回調節機構が設けられており、該旋回調節機構が、市場に流通しているルーフアンテナとアンテナロッドとの間に挿入されることができるアダプタとして形成されており、それにより、アンテナロッドの、それまで存在していなかった旋回可能性および／または盗難防止手段を事後的に実現することができることを特徴とするアンテナ。
【発明の詳細な説明】
【技術分野】
【０００１】
本発明は、車両のためのアンテナであって、車両に固定可能なハウジングフードと、アンテナロッドまたはアンテナマストとが設けられており、アンテナロッドまたはアンテナマストがその都度調節機構の助けを借りて、少なくとも１つの立てられた位置と、１つの、車両に向かって倒された位置とに可動であると共に、これらの位置に固定可能である形式のものに関する。
【背景技術】
【０００２】
この種のアンテナは欧州特許出願公開第０７０１２９５号明細書から公知である。この公知のアンテナの場合、ハウジングフードに、２つのアイを備えた保持部が固定されている。２つのアイ内で、旋回ビームが旋回方向に対して横方向で支承されている。アンテナロッドは旋回ビームにねじにより固定可能である。より確実な固定のために、ビームの外面にも、アイの内面にも、アンテナロッドを異なる位置に固定するための歯列が設けられている。つまり、この公知の対象物は、多くの構成部分と手間のかかる組立とを伴う手間のかかる構造と言える。さらに、傾倒機構をシールすることは極めて困難である。その結果、構成部分の腐食や汚損の恐れが存在している。さらに、調節機構のための大きな所要スペースがハウジングフードに必要とされているので、電子素子のための適当なスペースは欠乏している。
【特許文献１】欧州特許出願公開第０７０１２９５号明細書
【発明の開示】
【発明が解決しようとする課題】
【０００３】
したがって、本発明の課題は、冒頭で述べた形式のアンテナを簡単に、ひいては安価に構成し、さらには取扱いを容易にすることである。
【課題を解決するための手段】
【０００４】
上記課題を解決した本発明の構成によれば、調節機構が旋回軸線を有しており、該旋回軸線が、アンテナロッドまたはアンテナマストの前記位置を通って延在する平面内に配置されており、旋回軸線が、立てられた位置と倒された位置との間の角度を二等分した値の分だけ、ハウジングフードおよび／またはアンテナロッドまたはアンテナマストの長手方向軸線に対して傾いているようにした。
【発明の効果】
【０００５】
アンテナロッドまたはアンテナマストの旋回軸線は、その長手方向軸線の方向で方向付けられている代わりに、車両の進行方向に位置する垂直な平面内で、水平線の方向で傾けられて配置されている。相応に、場合によってはハウジングフード内の旋回軸線も傾けられる。これにより、アンテナロッドまたはアンテナマストの、旋回軸線を中心とした回動時に、「揺動」が発生する。揺動の一方の位置は、アンテナロッドまたはアンテナマストの真っ直ぐな機能位置として役立ち、かつ揺動の他方の位置は、畳まれた、車両、例えば車両ルーフに立てかけられた位置を生ぜしめる。両終端位置の間の旋回角は、旋回軸線の傾きの２倍の角度として表される。
【０００６】
本発明の別の有利な構成では、アンテナロッドがハウジングフードに隣接して拡張部を有しており、該拡張部内に支持部材が配置されており、該支持部材が、旋回軸線内に位置する旋回部材を有しており、該旋回部材が、ハウジングフード内に固定されているガイドブシュと作用結合している。その際、旋回部材は簡単な形式でねじ山付ピンとして形成されていることができる。ねじ山付ピンは、ガイドブシュに設けられたねじ山付孔内に螺入可能である。このように構成したことにより、ねじ山付ピンをねじ山付孔内で締め方向で回すことが可能である。その際、立てられた位置が達成される。アンテナロッドを１８０゜緩め方向で回すことにより、アンテナロッドは、倒された位置に旋回する。ねじ山付ピンに対して補足的に、ねじ山付ピンの外側に、さらに１つの平滑ピン片が設けられていることができる。この平滑ピン片は、ガイドブシュに設けられた、平滑ピン片と合致する孔と協働する。ただし、ねじ山付ピンの代わりに、平滑ピンが設けられていることもできる。平滑ピンは、ガイドブシュに設けられた、平滑ピンと合致する孔と協働する。ただし、このようにした場合、アンテナロッドもしくは平滑ピンをハウジングフードまたはガイドブシュにロックすることが有意義である。これにより、アンテナロッドを誤って紛失したり、意図的に取り外したりすることができなくなる。
【０００７】
旋回部材がねじを有していてもよい。ねじのヘッドは支持部材またはその一部の背面に係合し、ねじはガイドブシュのねじ山付孔内に螺入可能である。この事例では、アンテナロッドを１８０゜旋回させることができるようにするために、ねじが軽く緩められる必要がある。ねじのヘッドは盗難を難しくするために特別なプロファイル、例えば星形穴（トルクス）、六角穴またはこれに類するものを有していることができる。その際、付加的な安全策のために、ねじのヘッドがアンテナロッドの拡張部内に配置されていることができ、拡張部に、ねじのヘッドに対して減じられた横断面を有する開口が設けられている。この開口を通して、工具が導入されることができる。これにより、盗難を困難にする別の手段が与えられている。
【０００８】
本発明の別の有利な構成では、ハウジングフードとアンテナロッドとの間に、アンテナロッドを少なくとも立てられた位置と倒された位置とに固定するための係止ユニットが設けられている。この係止ユニットは種々異なる形式で形成されていることができる。例えば、ガイドブシュに、単数または複数の凹部が設けられていることができ、単数または複数の凹部と、係止ディスクに設けられた、少なくとも１つの相応の凸部が作用結合しており、係止ディスクが旋回部材および／または支持部材および／またはアンテナロッドの拡張部に相対回動不能に結合されているか、またはその逆の構成も可能である。ここで使用される「その逆の構成も可能である」という概念も、複数の別の請求項で使用される「その逆の構成も可能である」という概念も、これらのすべての特徴組み合わせにおいて、構成部材の逆転、すなわち構成部材の組み合わせを逆にすることもできることを意味する。例えば、ガイドブシュに凸部が、係止ディスクに凹部が設けられていてもよい。さらに、この概念は、ガイドブシュがアンテナロッドに固定されており、係止ディスクおよびこれに類するものがハウジングフードに固定されているという別の逆転を示唆するものでもある。
【０００９】
係止ディスクは固定のディスクとして形成されていても、ばね予圧されたディスクとして形成されていてもよい。ばね予圧は係止を改善し、かつアンテナロッドの、締め方向でのねじ回しを容易にする。それというのも、アンテナロッドがハウジングフードに当て付けられる前に、ばね予圧が既に作用するからである。係止ディスクはねじ山付スリーブとしてねじ山付ピンに螺合されて、そこに固定されていることができる。係止ディスクは別の方法で、ろう接、溶接、かしめおよびこれに類する方法により、ねじ山付ピンまたは支持部材に固定されていることもできる。係止ディスクは、支持部材が、外部から操作可能なねじを有している場合、剛性的な構成部分として形成されており、かつ支持部材に結合されていることもできる。また、係止ユニットが、ガイドブシュの延長部に設けられた平坦部と、該平坦部に適合されたＵ字形のクリップとを有しており、該クリップが旋回部材および／または支持部材および／またはアンテナロッドの拡張部に相対回動不能に結合されているか、またはその逆の構成も可能であるようになっていてもよい。また、係止ユニットが、ばね予圧された凸部、特に球を有しており、該凸部が、対応片、特に改変された係止ディスクに設けられた凹部と協働するようになっており、凸部が有利にはガイドブシュ内に配置されており、対応片が旋回部材および／または支持部材および／または拡張部に相対回動不能に結合されているか、またはその逆の構成も可能であるようになっていてもよい。
【００１０】
本発明の別の有利な構成では、アンテナロッドとハウジングフードとの間に、ロックユニットが盗難防止手段として設けられている。そのような盗難防止手段は、背景技術でも公知であるが、アンテナロッドとハウジングフードとの間に配置されているものはない。ロックユニットは有利には、ガイドブシュに結合された円錐体を有しており、円錐体とガイドブシュとの間に外溝が設けられている。さらに、ロックユニットはＵばねを有しており、Ｕばねはその端部に、内側に向かって方向付けられたフック、いわゆる内向フックを有している。Ｕばねは旋回部材および／または支持部材および／またはアンテナロッドの拡張部に結合されている。ロックは、内側に向かって方向付けられたフックが外溝に係入することにより実施される。
【００１１】
このロックユニットは、ねじ山付ピンが設けられている場合にも使用されることができる。それというのも、Ｕばねが回動運動と関連して円錐体に沿って螺合され、外溝に係入するからである。外溝は、アンテナロッドを旋回させるための１８０゜の回動が可能な幅さえ有していればよい。上記ロックユニットは平滑ピンにおいても使用されることができる。この場合、Ｕばねは円錐体に被せ嵌められ、その後、外溝に係入する。Ｕばねは相対回動不能に旋回部材および／または支持部材等に結合されているか、またはこれらの構成部材に軸方向でのみ固定されている。それというのも、Ｕばねがそのフックでもって円錐体により拡開され、フックが外溝に係入することだけが重要であるからである。
【００１２】
ガイドブシュが、ロックユニットを形成するために、開口を有しており、開口の深部に内溝が設けられており、さらに、Ｕばねに外向フックが設けられており、Ｕばねが旋回部材および／または支持部材および／または拡張部に結合されているか、またはその逆の構成も可能であるようになっていることができる。
【００１３】
また、ロックユニットと係止ユニットとを１つの構成ユニットに統合することも可能である。このことは例えば、円錐体または開口の内壁および／または外溝または内溝が平坦部を有しており、該平坦部が、ＵばねのフックまたはＵばねの脚片と作用結合しているようにすることにより実施されることができる。
【００１４】
アンテナを簡単にシールするために、アンテナロッドの拡張部に、少なくとも１つのシールリップが設けられており、該シールリップが、ガイドブシュに設けられたシール面および／またはガイドブシュの外側でハウジングフードに設けられたシール面と作用結合している。この種のシールは特に簡単に構成可能である。それというのも、通常の運転中、一方の回動方向または他方の回動方向での、シールの１８０゜の回動が実施されるにすぎないからである。また、アンテナロッドの拡張部とガイドブシュおよび／またはハウジングフードとの間に挿入される別個のシール部材、例えばＯリングが設けられてもよい。
【００１５】
本発明の別の有利な構成では、ハウジングフードとアンテナマストとの間に緊締片が設けられており、該緊締片がアンテナマストに対して同軸的に方向付けられており、かつねじおよび／または係止凹部によりアンテナマストに相対回動不能にかつ／または軸方向で固定に結合可能であり、ガイドブシュが、半径方向で張り出したリングを有しており、緊締片が、リングの背面に係合するばねフックを有しており、該ばねフックが旋回部材として形成されている。ばねフックの、旋回部材としての形成は、ばねフックが、張り出したリング上を滑動することができることを意味すると共に、この滑動軸線が旋回軸線に一致する、つまり先行の記載の通り、傾いていることを意味する。この構成の場合も、その下端に真っ直ぐなねじが設けられている一般的なアンテナマストが使用されることができる。アンテナマストは支持部材を必要とせず、しかも旋回軸栓内に位置する旋回部材を必要としない。旋回機構は緊締片内に設けられる。緊締片は相応のハウジングフードもしくは特別なガイドブシュと作用結合している。ただし、言明しておくべきこととして、緊締片は、それが２部分から形成され、かつ斜めに方向付けられた調節機構が両構成部分間に配置されているように形成されていることができ、その結果、一方の緊締片が同軸的にアンテナマストに接続されることができ、他方の緊締片が同軸的にハウジングフードに接続されることができる。
【００１６】
本発明の別の有利な構成では、ガイドブシュの、張り出したリングの内側に、円錐体ヘッドが設けられており、該円錐体ヘッドが、緊締片内で支承されているフック留め部材に形状結合（ｆｏｒｍｓｃｈｌｕｅｓｓｉｇ：形状による束縛）式に結合可能であり、さらにアンテナマストに設けられたねじと作用結合させられることができる。円錐体ヘッドとフック留め部材との間のねじの張力により、アンテナマストの旋回運動の、係止ユニットとしての固定が実施されることができる。この固定はさらに、円錐体ヘッドが平坦部を有しており、該平坦部が少なくともアンテナマストの終端位置に対応配置されていることにより強化されることができる。これに対して択一的に、相応の、互いに嵌り合う形状部材が緊締片およびガイドブシュおよび／またはハウジングフードに設けられていることも可能である。
【００１７】
本発明の別の有利な構成では、ロックユニットとして、横方向ピンがフック留め部材に設けられており、該横方向ピンがねじの背面にねじの段部で係合するようになっている。横方向ピンの代わりに、フック留め部材がその長手方向軸線の方向で２部分から構成されており、両半部分をアンテナマストのねじに組み付けると、フック留め部材の肩部がねじの背面に回り込むようにねじの段部に係合するようになっていることもできる。これに対して択一的に、ねじの段部への係合は、アンテナマストをフック留め部材内にねじ込んだ後に、フック留め部材の局所的な変形（例えばプレス加工）により生ぜしめられる。ねじの端部に緊締リングが設けられていてもよい。緊締リングはねじの緩み方向の回動を防止し、盗難防止手段を成す。
【００１８】
また、ハウジングフードまたはガイドブシュにセグメントが設けられており、該セグメントがばねフックまたは該ばねフックの幾つかとまたは緊締片またはばねフックに設けられた付加的な凸部と作用結合しており、それにより、セグメントがアンテナマストの調節のためのストッパ、ひいては係止ユニットを形成するようになっていることができる。係止ユニットを形成するために、ガイドブシュが、アンテナマストの終端位置に対応配置された、少なくとも２つの孔またはねじ山付孔を有しており、該孔またはねじ山付孔内に、アンテナマストに設けられたねじがねじ込み可能であるか、または平滑ピン片でもって差し込み可能であるようになっていてもよい。
【００１９】
本発明の別の構成は、相応の利点が実現される従属請求項に記載されている。さらに、本発明の実施例について以下に図面を参照しながら説明する。本発明はこれらの実施例に限定されるものではなく、一般にその都度の使用条件に適合可能である。
【発明を実施するための最良の形態】
【００２０】
図１〜図２２には、詳細を説明する範囲で、符号１がハウジングフードに付されている。ハウジングフード１には、調節機構２の介在下で、アンテナロッド３またはアンテナマスト２４が固定されている。アンテナロッド３またはアンテナマスト２４は、例えば図１および図２０に示されているような立てられた位置と、図２および図２１に示されているような、車両に向かって倒された位置とを取ることができる。
【００２１】
調節機構２は、図３、図４、図８、図１５、図１７、図１８、図２０および図２１に示され、符号４を付された旋回軸線を有している。旋回軸線４はハウジングフード１の長手方向軸線およびアンテナロッド３およびアンテナマスト２４の長手方向軸線に対して傾いている。
【００２２】
アンテナロッド３は、ハウジングフード１に隣接して、図３〜図１４に示されているように、符号５を付された拡張部を有している。拡張部５内には、符号６を付された支持部材が配置されている。支持部材６には、旋回軸線４内に位置する旋回部材７が接続している。図３〜図８および図１１に示した旋回部材７はねじ山付ピンとして形成されており、符号８を付されたガイドブシュ内に設けられたねじ山付孔内に螺入されている。ガイドブシュ８はハウジングフード１内で支承されており、ハウジングフード１内で固定されている。
【００２３】
図８では、旋回部材７に設けられたねじ山付ピンに接続して、ねじ山のない平滑ピンが設けられている。それに対して、図９、図１０および図１３では、旋回部材７が平滑ピンとして構成されている。
【００２４】
図１２に示した支持部材６はねじを有している。それに対して、図１４に示した支持部材６はＵばねとして形成されており、図１７〜図１９に示した支持部材６は円錐体として構成されている。ハウジングフード１とアンテナロッド３との間には、係止ユニットが組み込まれている。係止ユニットは、ガイドブシュ８の、アンテナロッド３に面した端面に設けられた凹部９と、凸部１１を備えた係止ディスク１０とから成る。図４に示した実施例では、係止ディスク１０がばね弾性的に形成されている。それに対して、図７に示した係止ディスク１０は、波形を備えた（凸部のない）薄いディスクとして構成されている。
【００２５】
図６および図９に示した実施例では、ガイドブシュ８が、アンテナロッド３に向かって延びる延長部を有している。延長部には符号１２を付した。延長部１２は平坦部１３を有している。これらの実施例では、支持部材６もしくは旋回部材７に、符号１４を付したＵ字形のクリップが固定されている。このクリップは係止ユニットを形成する。
【００２６】
図１１に示した実施例では、ガイドブシュ８内に設けられた孔内に、球が装填されており、圧縮ばねで負荷されている。球は係止ディスク１０に設けられた凹部と関連して係止ユニットを形成する。
【００２７】
図８〜図１０、図１３および図１４には、付加的にロックユニットが設けられている。ロックユニットはアンテナロッド３の取り外し、ひいてはアンテナロッド３の盗難を阻止する。それゆえ、支持部材６または旋回部材７にＵばね１６が固定されている。図９、図１０および図１３に示したＵばね１６は、内側に方向付けられたフックを有しており、図１４に示したＵばね１６は、外側に方向付けられたフックを有している。フックは、符号１７を付した外溝および符号１８を付した内溝に係入することができる。外溝１７は、ガイドブシュ８と、ガイドブシュ８に接続した円錐体１９との間に配置されている。アンテナロッド３の拡張部５と、ガイドブシュ８との間には、シールリップが設けられていることができる。シールリップは図１４に示されており、符号２０を付した。
【００２８】
図１５〜図１７および図１９〜図２１に示した実施例では、ガイドブシュ８が、半径方向で張り出したリング２１を有している。このリング２１と、緊締片２２がばねフック２３により作用結合している。緊締片２２自体は、符号２４を付したアンテナマストと作用結合している。アンテナマスト２４には、ねじ山付ヘッドを備えたねじが固定されている。ねじ山付ヘッドにより、アンテナマスト２４は直接的にまたは間接的にガイドブシュ８に固定可能である。
【００２９】
図１５および図１６に示した実施例では、半径方向で張り出したリング２１に接続して、円錐体ヘッド２５が設けられている。緊締片２２内には、符号２６を付したフック留め部材が設けられている。フック留め部材２６は、側方に開いた凹部により、円錐体ヘッドの背面に留められる、すなわち円錐体ヘッドの背後に回り込むような形で引っ掛けられることができ、アンテナマスト２４のねじのためのねじ山付孔を有している。この実施例では、まずフック留め部材２６が円錐体ヘッド２５の背面に固定され、緊締片２２がフック留め部材２６に被せ嵌められ、かつ張り出したリングの背面に係止され、その後アンテナマストが螺入される。さらに横方向ピン２７により盗難が防止される。盗難防止が実現されるには、まずフック留め部材がロッドに螺合され、ピン留めされ、その後緊締片がフック留め部材上にもたらされ、その後緊締片が円錐体ヘッド上にフック留めされ、最終的に緊締片がリングの背面に係止される、すなわちばねフック２３でもってリングの背後に回り込むような形で係止される。
【００３０】
図１７および図１９に示した実施例では、ガイドブシュ８が中空に形成されている。緊締片２２は、ばねフック２３を支持する円錐ディスク２８により、張り出したリング２１に被せ嵌められることができる。その結果、ばねフック２３は張り出したリング２１の背面に係合する。アンテナマスト２４はそのねじでもって円錐ディスク２８のねじ山付スリーブ内にねじ込まれ、その際、緊締片２２を緊締する。円錐ディスクは緊締片に対して、適当な形状部材、例えば緊締片に設けられた単数または複数のノーズにより回動防止されている。この形状部材は、円錐ディスクのばねフックの中間室に係入する。盗難防止のために、符号２９を付した緊締リングが設けられている。ハウジングフード１の、緊締片２２に面した面には、セグメント３２が設けられている。セグメント３２に、ばねフックのうちの幾つかおよび／または緊締片に設けられた相応の張り出し成形部が係入し、セグメント３２の縁部と相俟って、そこにも設けられる係止ユニットのためのストッパを形成する。
【００３１】
図１８に示した実施例は、図１７および図１９に示した実施例とは、張り出したリング２１が、ガイドブシュ８に螺設されている緊締スリーブ３０に固定されている点で異なる。緊締スリーブ３０の、張り出したリング２１が旋回軸線４の傾き位置を生ぜしめるようになっている。緊締スリーブ３０の周りに、別の緊締片２２ａが配置されている。旋回機構のこの配置またはその他の記載した実施例の比較可能な配置が、市場に流通しているあらゆるルーフアンテナフードとアンテナロッドとの間に挿入されることができるアダプタ解決策として適しており、それにより、ロッドの、それまで存在していなかった旋回可能性および場合によっては盗難防止手段を事後的に実現することができることは特に有利である。
【００３２】
図２０および図２１に示した実施例では、ガイドブシュ８が、２つのねじ山付孔３１，３１ａを有している。ねじ山付孔３１，３１ａは、両者がアンテナマスト２４の立てられた位置と倒された位置とに対応するように設けられている。緊締片２２はばねフック２３により、半径方向で張り出したリング２１に固定され、アンテナマスト２４をねじ山付孔３１またはねじ山付孔３１ａ内にねじ込むことができるようになるまで回動させられる。
【００３３】
最後に図２２には、図１３に類似の断面図が示されている。アンテナロッド３は、少なくとも２つまたは４つの異なる位置に旋回可能であるように形成されている。このことは圧縮ばね３３により達成される。圧縮ばね３３は、軸方向の遊びをアンテナロッド３およびガイドブシュ８の結合部（ハウジングフード１に調節機構２を介して固定される）から取り除くためにも役立つ。Ｕばね１６がこの圧縮ばね３３の力に抗して、係止位置を達成するために、円錐体１９の外溝１７に設けられた凹部内に押し込まれることも可能である。回動前にロックを解除するために、アンテナロッド３はまず回動軸線の方向で圧縮ばね３３のばね力に抗して押し込まれる。その結果、腕３４の、折り曲げられた端部は外溝１７を後にする。その後、アンテナロッド３は回動させられ、取り外されることができる。腕３４の、折り曲げられた端部が外溝１７内に存在している場合、アンテナロッド３は固定されており、もはや回動させられることはできない。腕３４の、折り曲げられたどの端部が、その都度の外溝１７（外溝１７は部分的にのみ周方向で円錐体１９に存在している）内に存在しているかに応じて、アンテナロッド３は種々異なる位置に旋回させられて、固定されることができる。
【図面の簡単な説明】
【００３４】
【図１】立てられた位置にあるアンテナを示す図である。
【図２】倒された位置にある、図１のアンテナを示す図である。
【図３】図１および図２のアンテナのアンテナロッドおよびハウジングフードの、調節機構の領域の部分断面図である。
【図４】ばね弾性的な係止ディスクを備えた、図３に相当する部分断面図である。
【図５】図１〜図４のアンテナおよびその構成部分の分解立体図である。
【図６】係止ユニットとしてＵ字形のクリップを備えた調節機構の部分断面図である。
【図７】フラットな係止ディスクを備えた調節機構の、図６に相当する部分断面図である。
【図８】アンテナロッドおよびハウジングフードの、調節機構の領域の部分断面図である。
【図９】係止ユニットとロックユニットとを備えた調節機構の断面図である。
【図１０】係止ユニットとロックユニットとを備えたアンテナの分解立体図である。
【図１１】改変された係止ユニットおよび／またはロックユニットを備えたアンテナの調節機構の部分断面図である。
【図１２】改変された係止ユニットおよび／またはロックユニットを備えたアンテナの調節機構の部分断面図である。
【図１３】改変された係止ユニットおよび／またはロックユニットを備えたアンテナの調節機構の部分断面図である。
【図１４】改変された係止ユニットおよび／またはロックユニットを備えたアンテナの調節機構の部分断面図である。
【図１５】立てられた位置にあるアンテナおよび改変された別の調節機構の部分断面図である。
【図１６】図１５の構成部分の分解立体図である。
【図１７】改変された別の調節機構の部分断面図である。
【図１８】改変された別の調節機構の部分断面図である。
【図１９】図１７の調節機構の構成部分の分解立体図である。
【図２０】アンテナマストを２つの終端位置で固定するための係止ユニットを備えた、立てられたアンテナの部分断面図である。
【図２１】アンテナマストを２つの終端位置で固定するための係止ユニットを備えた、倒されたアンテナの部分断面図である。
【図２２】アンテナロッドが４つの異なる位置で旋回可能なアンテナの調節機構の、図１３と類似の断面図である。
【符号の説明】
【００３５】
１  ハウジングフード、  ２  調節機構、  ３  アンテナロッド、  ４  旋回軸線、  ５  拡張部、  ６  支持部材、  ７  旋回部材、  ８  ガイドブシュ、  ９  凹部、  １０  係止ディスク、  １１  凸部、  １２  延長部、  １３  平坦部、  １４  Ｕ字形のクリップ、  １５  球、  １６  Ｕばね、  １７  外溝、  １８  内溝、  １９  円錐体、  ２０  シールリップ、  ２１  張り出したリング、  ２２，２２ａ  緊締片、  ２３  ばねフック、  ２４  アンテナマスト、  ２５  円錐体ヘッド、  ２６  フック留め部材、  ２７  横方向ピン、  ２８  円錐ディスク、  ２９  緊締リング、  ３０  緊締スリーブ、  ３１，３１ａ  ねじ山付孔、  ３２  セグメント、  ３３  圧縮ばね、  ３４  腕
【図１】
2006094514.tif 000003
【図２】
2006094514.tif 000004
【図３】
2006094514.tif 000005
【図４】
2006094514.tif 000006
【図５】
2006094514.tif 000007
【図６】
2006094514.tif 000008
【図７】
2006094514.tif 000009
【図８】
2006094514.tif 000010
【図９】
2006094514.tif 000011
【図１０】
2006094514.tif 000012
【図１１】
2006094514.tif 000013
【図１２】
2006094514.tif 000014
【図１３】
2006094514.tif 000015
【図１４】
2006094514.tif 000016
【図１５】
2006094514.tif 000017
【図１６】
2006094514.tif 000018
【図１７】
2006094514.tif 000019
【図１８】
2006094514.tif 000020
【図１９】
2006094514.tif 000021
【図２０】
2006094514.tif 000022
【図２１】
2006094514.tif 000023
【図２２】
2006094514.tif 000024